(57)【要約】  巻芯に巻き上げられたガラスを保持するための梱包ユニットであって、梱包ユニットは、互いに分離可能な少なくとも２つの壁部を備え、壁部は、相俟って１つの閉じられたユニットを形成する。壁部に第１の保持要素が結合されていて、この壁部とは反対側に位置する第２の壁部に、第２の保持要素が結合されている。少なくとも１つの保持要素及び／又は少なくとも１つの壁部に減衰要素が結合されている。
2014521572.tif 000002
【特許請求の範囲】
【請求項１】
互いに分離可能な少なくとも２つの壁部を備え、該壁部が相俟って閉じられた１つのユニットを形成する、巻芯に巻き上げられたガラスを収容する梱包ユニットであって、
１つの壁部に第１の保持要素が結合されており、該壁部とは反対側に配置された第２の壁部に第２の保持要素が結合されており、少なくとも１つの保持要素及び／又は少なくとも１つの壁部に減衰要素が結合されていることを特徴とする、ガラスを収納する梱包ユニット。
【請求項２】
第１及び／又は第２の保持要素は、巻芯内又は巻芯上に設けられた、少なくとも巻芯の端部に配置された結合装置に係合するのに適していることを特徴とする、請求項１記載の梱包ユニット。
【請求項３】
少なくとも１つの保持要素は支持心棒を備え、又は、支持心棒は保持要素に結合可能であり、前記支持心棒は、巻芯を、凹所に沿って又は巻芯の内側に延在している中空空間に沿って支持するのに適しており、前記支持心棒は、特に貫通する支持心棒であることを特徴とする、請求項１又は２記載の梱包ユニット。
【請求項４】
少なくとも１つの保持要素、特に保持要素の支持心棒は、巻芯に形状接続式に結合するのに適していて、特にアダプタ、緊締頭部又は緊締アダプタを備えることを特徴とする、請求項１から３までのいずれか１項記載の梱包ユニット。
【請求項５】
少なくとも１つの壁部に減衰要素が配置されており、該減衰要素は、保持要素を、該保持要素の固定部の領域で取り囲んでいることを特徴とする、請求項１から４までのいずれか１項記載の梱包ユニット。
【請求項６】
支持心棒の外面に、少なくとも部分的に、かつ少なくとも一部を取り囲むように、１つ又は複数の減衰要素が配置されていることを特徴とする、請求項３記載の梱包ユニット。
【請求項７】
支持心棒は、ばね弾性的に又は振動減衰式に保持要素に支持されていることを特徴とする、請求項３又は６記載の梱包ユニット。
【請求項８】
梱包ユニットの外側に、好適には下側に、１つ又は複数の減衰要素が配置されていることを特徴とする、請求項１から７までのいずれか１項記載の梱包ユニット。
【請求項９】
梱包ユニットの外側に、好適には下側又は上側で１つ又は複数の設置面に、又は側方の接触面に、１つ又は複数の減衰要素が配置されていることを特徴とする、請求項１から８までのいずれか１項記載の梱包ユニット。
【請求項１０】
梱包ユニットの下側及び上側及び／又は側方で協働する、別の梱包ユニット用の保持装置は、上下に及び／又は相並んで配置された少なくとも２つの梱包ユニットがモジュール状に互いに内外に係合して組み合わされるように、配置されていることを特徴とする、請求項１から９までのいずれか１項記載の梱包ユニット。
【請求項１１】
梱包ユニットは、気密に閉じられており、内側に清潔な気体が充填されていることを特徴とする、請求項１から１０までのいずれか１項記載の梱包ユニット。
【請求項１２】
巻芯に巻き上げられたガラス、特に薄板ガラスの振動低減式の貯蔵及び搬送用の、請求項１から１１までのいずれか１項記載の梱包ユニットの使用。
【請求項１３】
巻芯に巻き上げられたガラス、特に薄板ガラスの貯蔵及び搬送のための清潔な空間としての、請求項１から１１までのいずれか１項記載の梱包ユニットの使用。
【発明の詳細な説明】
【技術分野】
【０００１】
本発明は、巻芯に巻き上げられたガラス用の梱包ユニット、並びにこの種の梱包ユニットの使用に関する。
【０００２】
例えば半導体モジュール、有機ＥＬ光源、又、更に薄い表示装置用のカバーガラスのような一般消費者向け電子機器の分野や、再生エネルギ又は太陽電池のようなエネルギ技術の分野における様々な用途のために、薄板ガラスがますます使用されている。タッチパネル、コンデンサ、薄膜電池、フレキシブルプリント基板、フレキシブル有機ＥＬ、フレキシブル太陽光発電モジュールや電子ペーパーがその例として挙げられる。化学物質、温度変化及び熱に対する耐性、気密性、高い電気絶縁性、適度な膨張係数、可撓性、高い光学品質及び光透過性、並びに火炎研磨された表面に基づく極めて小さな粗さを有する高い表面品質のような極めて優れた特性に基づいて、薄板ガラスは多くの用途に対してますます注目されている。この場合、薄板ガラスとは、約１．２ｍｍ〜１５μｍ及びそれより小さな厚さを有するガラスプレート、ガラスシート、ガラス基板、ガラスフィルムと解される。薄板ガラスは、その可撓性に基づいて、より多くの場合に製造後に巻き上げられ、ガラスロールとして貯蔵され、又は生産化又は後加工のために搬送される。ガラスのロールは、平面状に広げられた材料の貯蔵及び搬送に対して、より経済的でコンパクトな貯蔵、搬送及び後加工における取扱いにおいて好適である。
【０００３】
搬送及び貯蔵コストを一層削減するために、可及的小さな半径で巻き取ることが好適であるが、但しこれによりガラスストリップの引張り応力が高まり、破損（ひび形成）のリスクも高まる。
【０００４】
ガラスは、優れた特性を有するが、脆い材料として、引張り荷重に対して僅かな耐性しか有さないので、どちらかといえば小さな破断強さを有する。この種のガラスロールの破損のない貯蔵及び破損のない搬送を目的として、巻き上げられたガラスストリップにおける亀裂又はひびの発生を回避するために、先ず第１にエッジの品質及び無傷な状態が重要である。極めて小さな亀裂、例えば微細亀裂のような損傷でも既に、ガラスストリップのより大きな亀裂又はひびの原因となり得る。巻き上げられた状態で、ガラスストリップの上面は引張り荷重に曝され、それゆえ更に、巻き上げられたガラスストリップにおける亀裂又はひびの発生を回避するために、無傷な状態や、掻き傷、筋目又は別の表面欠陥が表面に存在しないことが重要である。第３に、巻き上げられたガラスストリップにおける亀裂又はひびの発生を回避するために、ガラスの、製造に起因する内部応力は、できるだけ小さくする、又は存在しないようにするべきである。商業的な製造においてこれら３つの全ての要因は、限定的にしか最適化可能でないので、この種の巻き上げられたガラスの破損頻度は、どのみち存在するガラスの材料特性の範囲よりも更に高まる。従って、この種のガラスロールの貯蔵及び搬送に対して、ガラスの損傷を回避するために、特別な対策及び条件が重要である。特にこの種のガラスロールは衝撃及び振動のような荷重に対して防護しなければならない。そうしないと、外側から作用するこのような機械的な荷重がガラスの破壊限度を上回り、ひいてはガラスに亀裂形成が生じる可能性がある。
【０００５】
例えばガラスロールは、軸線が略水平に延在している場合、例えばパレットのような載設面に置かれた状態では、接触部分に応力集中が生じ、ガラスストリップに簡単にひびが生じるという問題がある。
【０００６】
平面状に広げられたガラス材料の貯蔵、搬送及び取扱いは、フラットガラス及びフラットパネルディスプレイ用の公知のガラスのような、巻き上げるには小さすぎる可撓性を有するより厚いガラスの場合に必要である。この種の平面状に広げられたガラス材料の梱包は、例えば米国特許第ＵＳ２００７／０１３１５７４号明細書又は特開１９９０／０４８５７７号公報に記載されている。しかし、この種の梱包はコンパクトではなく、ガラスロールの梱包には全く不適である。
【０００７】
これに対して、ロール状に巻き上げられた材料の梱包が、国際公開第２００８／１２３１２４号パンフレットに記載されている。そこには、衝撃に対して防護するためにロールの両側に、管状の部材が取り付けられたプレート状のフランジ部をそれぞれ１つ設置することが記載されている。このプレート状のフランジ部は、巻芯の中空空間に係入する。両部材は、それぞれポリオレフィン発泡体から一体的に成形されるべきであり、ポリオレフィン発泡体は、衝撃エネルギを吸収すべきものである。更に、巻き上げられた材料の上縁と各フランジとの間に、エッジ防護体として中間空間が設けられている。ガラスロールには、この種の梱包は不適である。なぜならば、ガラスロールは、一方では、両フランジの間に延在している表面が全く防護されず、他方では、所定の中間空間及びロール保持部の材料選択にもかかわらず、振動及び衝撃エネルギがガラスに許容されない形で導入されてしまうからである。多数のガラスロールを貯蔵及び搬送するための確実な可能性も得られない。
【０００８】
改良形として特開２００９／１７３３０７号公報に、巻芯に巻き上げられた敏感な圧力測定シートの貯蔵又は搬送に関して所定の梱包態様が記載されている。この梱包態様では、圧力測定シートが巻き上げられた巻芯の両端部に、巻き上げられた圧力測定シートの外径より大きいフランジが形成されている。これにより、圧力測定シートは、設置面から所定の間隔にもたらされる。しかし、ガラスフィルムは、圧力測定シートとは異なり、破損し易い材料である。つまり、圧力測定シートの場合、表面に形成された圧力測定用のマイクロカプセルが破裂しないよう注意すれば十分であるが、巻き上げられたガラスの場合、ロールの表面だけでなく、ロールの側面領域を形成するガラスストリップのエッジ部分にもひびが発生しないように注意する必要がある。ガラスストリップのエッジを有するロールの両側面領域が外向きに露出していることは特別な構成であってよいので、ロールの両側面領域は、容易にエッジにおけるひびの起点になる。
【０００９】
国際公開第２０１０／０３８７６０号パンフレットでは、ガラスロールに関する改良形が記載されている。側面にフランジを有する、巻芯に巻き上げられたガラスロールに対して、ガラスロールの側面領域とフランジとの間に導入された減衰材料を有する、減衰のための様々な構造体が記載されている。これにより、エッジの破損を招く可能性がある、ガラスロールのエッジとフランジとの接触を回避すべきである。
【００１０】
そのために、ガラスストリップ層の間に巻き込まれた側方に突出する中間層が提案される。この中間層は、中間空間の一部しか満たさず、フランジに接触しない、又は、提案された別の態様では、フランジに接触している。しかしこの場合、中間層の突出する領域が引っ掛かるまたは垂下したままであるとき、ガラスロールの巻上げ又は繰出し時に、ガラスストリップ内又はエッジに亀裂又はひびが生じる可能性がある。搬送時の衝撃又は振動によりロール状のガラスストリップ層が側方にずれ、このことも同じくガラスストリップの破損やエッジの損傷を招いてしまう。この場合、ガラスストリップの側方のずれは、全体的に巻芯の軸方向に沿って生じることがある、又、ロール状のガラスストリップの外径側が、内径側に対して側方に移動して、この場合、ガラスストリップのエッジが階段状に上下に位置することにより、生じることがある（側面の「テレスコープ構造化」）。
【００１１】
別の態様では、別個の緩衝材料が、ガラスロールとフランジとの間に配置されている。これにより、搬送時の衝撃又は振動による、ロール状のガラスストリップ層の側方のずれは低減することができるが、特に搬送に起因する振動に際して、ガラスストリップエッジとこの種の緩衝材料との間に相対移動が生じる。既に極めて小さな相対移動の場合に、又はこれにより惹起される、ガラスストリップのエッジの負荷の場合に、エッジが損傷される、又は、亀裂がガラスストリップに誘発される可能性がある。
【００１２】
こうした事態を回避するため、別の態様では、緩衝材料をフランジにだけ接触させてガラスロールの側面領域には接触しないように配置することが提案されている。しかしこれによっても同じく、搬送時の衝撃又は振動により、ロール状のガラスストリップ層が全体的に側方にずれる、又は、前述の側方のテレスコープ化が生じる可能性があり、このことも同じくガラスストリップのひび又はエッジ損傷を招く可能性がある。
【００１３】
更に国際公開第２０１０／０３８７６０号パンフレットには、軸部の構造が記載されており、軸部は、フランジから側方に突出していて、台座に形成された軸受により支持されている。これにより、フランジに依存しないガラスロールの転動が阻止されるべきである。１つ又は複数のこの種の構造は、梱包ボックスで覆うことができる。しかしこの手段の欠点は、衝撃及び振動のような荷重が減衰されないままガラスロール上又はガラスロール内に伝達され、これによりガラスに対するひび及び亀裂発生の高いリスクが生じることにある。
【００１４】
横向きに向けられたガラスロールを有する梱包（梱包ユニット）に対して択一的に、垂直に向けられたガラスロールを有する梱包も記載されている。この梱包では、巻芯を有する複数のガラスロールは、所定の箱体の底に固定された直立する柱状の要素に装着されるべきである。しかしこの梱包では、一方では、搬送時のガラスロールの巻芯の揺動が欠点である。これにより生じるガラスストリップの破損を予防するために、ガラスロール間の十分な間隔形成やガラスロール間への緩衝材料の充填が提案されたとしても、ガラスロールの設置面に位置するエッジが、ガラスロール自体の圧力だけでなく、特にロールの揺動によっても不都合に荷重を掛けられ、このことはガラスストリップの亀裂及びひびの発生やエッジの損傷を招いてしまう。この梱包では、他方では、衝撃及び振動のような荷重が減衰されないままガラスロール上又はガラスロール内に伝達され、これによりガラスのひび及び亀裂発生の高いリスクが生じる。
【００１５】
したがって本発明の課題は、上述の欠点を回避し、貯蔵又は搬送時にガラスのひび及び亀裂発生のリスクが低減された、巻芯に巻き上げられたガラスを収容する梱包ユニットを提供することである。複数のガラスロールの確実な梱包も見いだすべきである。
【００１６】
この課題は、本発明では、請求項１、請求項１２及び請求項１３に記載されている特徴により解決される。
【００１７】
ガラスロールは、閉じられた梱包ユニット内に収容され、これによりガラスロールは、直接的な外部の物理的又は化学的な攻撃又は作用に対して防護することができる。この種の梱包ユニットは、互いに分離可能な少なくとも２つの壁部から成っており、この場合、これらの壁部が相俟って１つの閉じられたユニットを形成する。梱包ユニットの個々の壁部の区別は、以下の通りである、つまり、ガラスロールの側面領域に対向して配置された、梱包ユニットの２つの頭部、及び、梱包ユニットの底部、側部及び蓋部のような、ガラスロールの幅方向に面する壁部である。梱包ユニットは、矩形又は多角形あるいは円筒形に構成してよい。
【００１８】
例えば、梱包ユニットの全ての壁部は、個別の部材として梱包時に組み合わせてよく、又は、全ての壁部は、個々の構成群として互いに結合して、梱包時に組み合わせてもよい。
【００１９】
好適な態様では、側部、底部及び蓋部もしくは円筒形の壁部は、１つの頭部に結合されており、これによりガラスロールの梱包時に、梱包ユニットを形成するために、別の頭部だけが残りの部分に結合される。又、各頭部に、半分の長さの側部、底部、蓋部を結合してもよい。
【００２０】
円筒形の態様では、底部、側部及び蓋部は、中空円筒を形成し、この場合、この中空円筒は、単独で壁部を形成し、２つの頭部と組み合わされる、又は、予め１つの頭部に完全に結合されていて、第２の頭部と組み合わせる、あるいは、それぞれ部分的に両頭部に結合してよく、その際、常に、組み合わせると１つの閉じられた梱包ユニットが形成される。
【００２１】
壁部の材料として、例えば木材、集成材、金属又はプラスチックのような、十分な安定性を保証する各材料が適している。搬送又は貯蔵の要求に応じて、材料選択に際して、十分な気密性又は環境耐性が考慮される。
【００２２】
本発明によれば、頭部を形成する壁部に、それぞれ保持要素が結合されている。これらの保持要素は、それぞれ反対側に配置されていて、使用時に、保持要素の間にガラスロールもしくは巻芯を保持するので、ガラスロールは、包装ユニット内で、底部、側部及び蓋部を形成する壁部から間隔を置いて支持することができる。
【００２３】
保持要素は、壁部に直接結合しても、壁部内又は壁部上に固定してもよい。又、保持要素用の固定部を壁部に対応して配置してもよい。この場合、固定部は、壁部に固定して（つまり定位置に）結合してよく、又は、壁部に固定せずに接触してよい。例えば、固定部は、別個の構成部材として頭部の手前に位置決めして、この頭部及び／又は隣接する壁部に形状接続式又は力接続式に結合してよい。いずれの態様でも、固定部は、梱包ユニットの閉じた状態で、梱包ユニットに定位置に結合されている。
【００２４】
固定部は、互いに間隔を置いた２つのプレート（これらのプレートは場合によっては更に相互に補強されている）から形成してよく、これにより、第２の保持要素がなくてもガラスロールを保持及び支持することができる保持要素用の支持機能を有する固定部が形成される。１つの固定部は、例えば補強プレートとして頭部の内側に取り付けて、保持要素を支持してもよい。
【００２５】
この種の保持要素は、例えばロッド、心棒、ピン、ロック装置又は閉鎖装置を備え、これらは、それぞれ巻芯の端部に設けられた対応する結合装置に係入するのに適しており、この場合、２つの保持要素は、場合によっては巻芯に巻き上げられたガラスを備える巻芯を、これらの保持要素の間で確実に保持することができる。
【００２６】
この場合、好適な態様では、保持要素は、それぞれ巻芯の側方端部に設けられた、巻芯内に配置された中空空間又は相応の凹部に係入できるように構成されている。保持要素の係入部分は、支持心棒、１つ又は複数のロッド又はピンであってよく、それぞれ適切な横断面を有する。
【００２７】
巻芯は、円形又は矩形であってよい。例えば、巻芯は、実質的に１本の管から形成することができるので、保持要素は、側方の管端部に係入することができる。この場合、保持要素は、巻芯をセンタリングするのに適した円錐形の領域を有してよい。巻芯の側方端部も、特定の形に成形された１つ又は複数の凹部を備えてよく、凹部に、保持要素に設けられた適合する対向部材が係入し、その際、好適には巻芯をセンタリングする。この種の凹部は、例えば円錐形又は円錐台形もしくは角錐形又は角錐台形あるいは別のあらゆる適切な形に構成されていてよい。特定の結合装置を巻芯の片側又は両側の端部に設けてもよい。この結合装置の各対向部材が保持要素に固定可能であるので、巻芯は、確実に側方端部で保持要素に結合することができる。この種の装置は、例えばバヨネット締結部のように構成してよく、又は、係止、掛止、ロック又はねじ止めのための装置を有してよい。
【００２８】
好適な態様では、略管状の巻芯のために、貫通する支持心棒が設けられており、この支持心棒は、巻芯の内側で軸方向に延在する中空空間に沿って延在していて、巻芯は、ほぼ内側の長さ全体にわたって支持心棒に装着されかつ支持される。１つの態様では、この支持心棒は、保持要素に定位置に結合されていて、保持要素に付属しており、そして梱包ユニットの組立時に第２の保持要素に結合される、又は固定される。支持心棒は、梱包ユニットの組立時に別個の構成部材として各保持要素に結合してもよい、又は固定してもよい。結合又は固定は、例えばピンへの挿入又はねじ込みにより行っても、又、適切なあらゆる形で行ってもよい。
【００２９】
支持心棒の横断面は、最も簡単な場合には円形であってよく、この場合、支持心棒直径が巻芯の内径より小さい場合、巻芯の、軸方向に延在している単一の装着面が形成される。但し、適切な横断面選択により、軸方向に延在する２つ及び３つ以上の装着面を提供してもよく、これにより巻芯の支持が改善される。これにより、貯蔵される又は搬送されるガラスロールのたわみを長期的に、そして衝撃及び振動の場合には効果的に低減する又は阻止することができる。
【００３０】
別の態様では、各保持要素に１つの支持心棒を取り付けてよく、又は固定してよく、あるいは梱包ユニットの組立時に取付け可能又は固定可能であってもよい。巻芯又は巻芯を有するガラスロールを保持及び支持するために、使用時に、両支持心棒は、巻芯の側方端部から巻芯に突入している。この突入は、両支持心棒が互いにほぼ接触する程度であってよく、又、巻芯の側方端部内に延在する程度であってもよい。
【００３１】
別の態様では、貫通する支持心棒又は支持心棒は、保持要素の構成部材であってよく、又、保持要素の、巻芯に係入する部分は、巻芯内で緊締可能に構成してよい。例えば、この保持要素の部分は、巻芯及び支持心棒又は保持要素の、巻芯に係入する部分のそれぞれ異なる直径をブリッジするための、アダプタ、緊締頭部又は緊締アダプタとして構成してよい。これにより、強い荷重の場合でもたわみに対する最大限の支持面を有する定位置の貯蔵が確保される。又、ガラスロールは、保持体、例えば支持心棒において振動する又は上下動することはなく、これにより最大限確実な搬送が可能になる。
【００３２】
本発明の更に別の態様では、少なくとも１つの保持要素及び／又は少なくとも１つの壁部に減衰要素が結合されている。減衰要素は、可能性のある全ての空間方向の振動、揺動又は衝撃を減衰する。減衰要素は、梱包ユニットの取扱い、貯蔵及び搬送中の、外側から内側にガラスロールに向かう振動及び衝撃の伝達を低減する又は吸収するべきである。これにより、ガラスロール上又はガラスロール内への衝撃又は振動のような荷重の伝達は、ガラスロールの確実な貯蔵又は搬送が可能になる程度に効果的に低減される。
【００３３】
衝撃は、様々な形で、車両による搬送、梱包ユニットの不適切な取扱い、又は何らかの形の衝突により生じる可能性がある。衝撃は、梱包ユニットの側から危険が伴われる程度にはガラスロールに伝達してはならない大きなパルス状の荷重である。
【００３４】
振動のような荷重の特性は、周波数に依存している。その中には、搬送時に例えばぐらつき又はエンジンの振動により搬送すべきガラスロールに伝達され、破損を招く可能性があるような、例えば０．１Ｈｚ〜２０ｋＨｚ、特に５０Ｈｚ〜１０ｋＨｚの範囲にあるどちらかといえば低周波の振動が挙げられる。
【００３５】
別の荷重は、搬送時にガラスロールに作用する可能性がある遠心力、加速力又は制動力である。
【００３６】
本発明によれば、梱包ユニットは、１つ又は複数の減衰要素を備え、この減衰要素は、衝撃又は振動を減衰し、ガラスロールへの伝達を、ガラスロールの確実な搬送及び確実な貯蔵が可能になる程度に低減する。減衰要素は、少なくとも１つの保持要素又は少なくとも１つの壁部もしくは壁部に対応して配置された固定部に結合されている。個別の態様の考えられるあらゆる組み合わせも可能であり、それぞれ、総じて、予想されるあらゆる荷重に対して、搬送すべきガラスロールの最適な防護が可能になるように組み合われる。
【００３７】
１つの態様では、少なくとも１つの壁部に減衰要素が配置されており、減衰要素は、保持要素を壁部に設けられた固定部の領域で取り囲む、又は、固定部自体を取り囲み、この場合、固定部は、頭部の一部を形成する。これにより、特に保持要素の軸線に対して垂直又は斜めに作用する衝撃又は振動が保持要素を介して搬送すべきガラスロールに伝達されることを効果的に阻止することができる。又、これにより、保持要素の軸線に対して平行に作用する衝撃又は振動を減衰することもできる。
【００３８】
本発明による更に別の態様では、保持要素の、ピン又はロッドとして構成してもよい少なくとも１つの支持心棒の外面に、少なくとも部分的に、かつ少なくとも部分的に取り囲むように、１つ又は複数の減衰要素が配置されている。この減衰要素は、使用時には、巻芯を保持要素に振動及び衝撃減衰式に結合する。例えば減衰要素は、１つ又は互いに間隔を置いた複数の弾性的な減衰リングであってよい。又、軸方向に延在する１つ又は複数の減衰要素であってもよい。これにより、梱包ユニットに作用する衝撃又は振動が保持要素を介して搬送すべきガラスロールに伝達されることを効果的に阻止することができる。
【００３９】
本発明による別の態様では、少なくとも、巻芯を貫通する支持心棒の外面に、少なくとも部分的に、かつ少なくとも部分的に取り囲むように、１つ又は複数の減衰要素が配置されている。この場合、減衰要素は、巻芯の側方端部の領域にだけ配置してよく、又、長さ全体にわたって分配して配置してもよい。例えば、減衰要素は、１つ又は複数の弾性的な減衰リングであってよい。支持心棒の表面全体を振動減衰材料で覆う又は包囲してもよい。支持心棒は、全体的に振動減衰材料から成っていてもよい。これにより、使用時には、巻芯に巻き上げられたガラスを有する巻芯の材料は、振動及び衝撃減衰式に支持心棒もしくは保持要素に支持される。これにより、梱包要素に作用する衝撃又は振動が保持要素及び支持心棒を介して搬送すべきガラスロールに伝達されることを効果的に阻止することができる。
【００４０】
本発明による別の態様では、支持心棒は、保持要素にばね弾性的に又は振動減衰式に支持されている。この態様では、減衰要素は、保持要素における支持心棒の軸受であり、この場合、支持心棒は、貫通する又は貫通しない支持心棒であってよく、又は、１つの態様では、１つ又は複数のピン又はロッドであってよい。
【００４１】
例えば減衰部は、１態様では、支持心棒、ピン又はロッドが本来の主要な軸受を除いて２つのばねに掛けられて２つの衝撃減衰器により支持されるように、構成してよい。これにより、支持心棒、ピン又はロッドは、振動することはできるが、振れが大きすぎる場合には衝撃減衰器により制動される。
【００４２】
本発明による別の態様では、梱包ユニットの外側、好適には底部の下側に、１つ又は複数の減衰要素が設置されている。例えば、減衰要素は、底部の外側に取り付けられており、例えばパレット上の梱包ユニットの載設面を形成する。平面状に又は点状に分配された複数の減衰要素を底部の外側に取り付けてよく、例えば緩衝要素又は衝撃減衰器として角隅領域に、又はストリップとして互いに反対側の２つの側方領域に取り付けてよい。底面全面が振動減衰材料の層から成っていてもよい。この種の減衰プレートは、コルク、ゴム、ゴム金属複合体又は相応の材料から成っていてよい。好適には、そのために振動減衰マット又は振動減衰プレートが用いられる。これにより、下側から梱包ユニットに作用する衝撃又は振動が許容不能に梱包ユニットに伝達され、梱包ユニットを介して搬送すべきガラスロールに伝達されることを効果的に阻止することができる。
【００４３】
複数の梱包ユニットを組み合わせて設置する場合の振動の伝達、側方の衝撃もしくは上側からの衝撃に対して、梱包ユニットの外側の、合目的なあらゆる任意の箇所に減衰要素を配置してもよい。この場合、減衰要素は、壁部の外面全体を覆ってよく、又は、比較的大きな又は比較的小さな領域だけを覆ってよい。
【００４４】
梱包ユニットは、本発明によれば、スタック可能であってよく、又は、所定の形で組み合わせてより大きな１つの梱包ユニットを形成することもできるので、本発明による別の態様によれば、個々の梱包ユニットがその際に互いに接触する外側の箇所、好適には下側もしくは上側又は梱包ユニットの側方の接触面の１つ又は複数の設置面に、１つ又は複数の減衰要素が配置されていてよい。
【００４５】
減衰要素として、合成ゴム、シリコーン又は天然ゴムのようなエラストマ、又はフォーム材料や弾性的なばね、特にゴム製ばねから成る、例えば緩衝要素又は衝撃減衰器が用いられる。又、金属編物を含む減衰要素や気体式の減衰要素を用いてもよい。本発明によれば、専門家にとって広く知られているあらゆる適切な減衰要素を用いてよい。減衰要素に課せられる特別な役割に応じて、変形距離及び減衰は、適切な形状及び／又は材料選択により大小に選択することができる。減衰要素の寸法設定及び構造設定時に、それぞれガラスロールもしくは梱包ユニットの吸収すべき又は減衰すべき質量が考慮される。１つの態様では、気体圧式の減衰要素であり、この減衰要素は、調節可能な気体圧を介してそれぞれ梱包すべきガラスロールの質量に対して減衰を調節することができる。
【００４６】
いずれにせよ、梱包すべき質量の固有振動数における振動にも対抗するべきであり、もしくはこの振動は回避されるべきである。
【００４７】
本発明による別の態様では、複数のガラスロールの梱包のために、少なくとも２つの梱包ユニットは、上下に及び／又は相並んで配置されていて、モジュール式に互いに係合するように組み合わせてよい。このために、梱包ユニットの下側及び上側における１つ又は複数の設置面に、別の梱包ユニットのための、側方で協働する保持装置が配置されている。梱包ユニットに、別の梱包ユニットの凸部が係入する相応の凹部が設けられていることにより、保持装置は、形状接続式に互いに協働することができる。又、２つの梱包ユニットが１つの保持装置により互いに定位置にロック可能である、又は、あらゆる適切な形で互いに定位置に結合可能であることにより、保持装置は、力接続式に協働することもできる。
【００４８】
本発明による１つの態様では、保持装置の、２つの梱包ユニットが互いに接触する面に、減衰要素が配置されている。
【００４９】
本発明による別の態様では、梱包ユニットは、気密に閉じられていて、内側に清潔な気体が充填されている。これにより、梱包ユニットの内側に塵埃及び汚れのない清潔な空間を形成することができる。この清潔な空間は、ガラスの防護又は清潔性の要求が要求する全ての条件を満たす。要求に応じて、梱包ユニットの内室に、正圧を形成して維持することもでき、これにより周囲空気の侵入を排除することができる。
【００５０】
本発明による別の態様では、梱包ユニットにエアクッションを装着してよい。エアクッションは、梱包ボックスの内側空間で１つ又は複数の壁部とガラスロールとの間に充填又は挿入される、例えばエアタイヤ、エアクッション又は発泡材料であってよい。エアクッションは、前述の衝撃及び振動減衰手段に対して追加的又は択一的に設けてよい。膨張可能なエアクッションを梱包ユニットに入れて、ガラスロールが梱包ユニットに梱包された後で初めて膨らますことも可能である。エアクッションに掛かる圧力は、調節可能及び制御可能であるが、変化可能な体積の本体からガラスロールに掛かる圧力が特にエッジ領域でガラスロールの損傷を招く程度に高くてはならない。
【００５１】
別の１つの態様では、梱包ユニット内のガラスロールは、二重壁のチューブで取り囲んでよい。このチューブには、ガラスロールの梱包後、気体、液体、又は例えば薄片状、粒状又は球状の小さな部分から成る固体の圧縮性の材料を充填することができる。充填される材料の量の調量と、チューブ内の材料の圧縮性とにより、ガラスロールの複数の層が互いにずれることを阻止する調節可能な外力をガラスロール及びガラスロールの層に及ぼすことができる。他方、チューブは減衰要素として働き、充填される材料の圧縮性により、ガラスロールに作用する衝撃及び振動がガラスロールに損傷を与え得ることが阻止される。この種のチューブは、上述の衝撃及び振動減衰手段に対して追加的又は択一的に設けてよい。
【００５２】
更に本発明は、巻芯に巻き上げられたガラス、特に薄板ガラスの、振動低減式の貯蔵及び振動低減式の搬送のための、前述の梱包ユニットの使用に関する。この場合、組み込まれた減衰要素は、考えられるあらゆる空間方向の振動、揺動又は衝撃減衰器として働く。減衰要素は、梱包ユニットの取扱い、貯蔵又は搬送中の、外側から内側にガラスロールに向かう振動及び衝撃の伝達を完全に又は部分的に低減又は吸収して、これにより、ガラスロール上又はガラスロール内への衝撃及び振動のような荷重の伝達は、ガラスロールの確実な搬送又は確実な貯蔵が可能になる程度に効果的に低減される。
【００５３】
更に本発明は、巻芯に巻き上げられたガラス、特に薄板ガラスの貯蔵及び搬送用の塵埃及び汚れのない清潔な空間としての前述の梱包ユニットの使用を含む。このために、梱包ユニットは、気密に閉じられていて、清潔な気体で充填されている。気体として、要求に応じて、アルゴン、窒素、二酸化炭素のようなあらゆる不活性ガスが好適である。相対空気湿度は、好適には５〜３０％の範囲に調節される。梱包ユニットは、ガラスの防護に要求される全ての条件を満たしている。このことは、特に、例えばコーティングされた薄板ガラスにおいて、コーティングが周囲環境により影響を受ける可能性がある物質に対して敏感に反応する場合や、例えば液晶表示装置又は有機ＥＬ表示装置のような表示装置用のガラス基板（この場合使用目的に基づいて汚れ及び塵埃が付着しない清潔なガラスが求められる）にとって重要である。
【００５４】
次に、図面を用いて本発明について詳述する。
【図面の簡単な説明】
【００５５】
【図１】梱包ユニットの様々な形状を示す横断面図である。
【図２】梱包ユニットの様々な形状を示す横断面図である。
【図３】梱包ユニットの様々な形状を示す横断面図である。
【図４】梱包ユニットの縦断面図である。
【図５】底部の、外側に向いた下面に減衰要素を備える梱包ユニットを示す図である。
【図６】それぞれ頭部側の壁部に配置されていて、保持要素の固定部を取り囲む減衰要素を備える梱包ユニットを示す図である。
【図７】保持要素を取り囲み、巻芯の端部に設置された減衰要素を備える梱包ユニットを示す図である。
【図８】梱包されたガラスロールの周りにエアクッションを下部領域に備える梱包ユニットを示す図である。
【図９】梱包されたガラスロールの周囲全体にエアタイヤを備える梱包ユニットを示す図である。
【図１０】梱包されたガラスロール用の清潔な空間としての梱包ユニットを示す図である。
【図１１】モジュール状に組み合わされた２つの梱包ユニットから成る１つのユニットを示す図である。
【図１２】巻芯が装着された支持心棒の横断面図である。
【図１３】支持心棒の択一的な横断面図である。
【００５６】
図１及び図４は、矩形の梱包ユニットを示しており、図１は横断面図、図４は縦断面図である。図４に示されたガラスロール３０は、梱包ユニットの壁部、例えば頭部１２１及び１２３、底部１３、側部１４１及び１４２、並びに蓋部１５により取り囲まれている。この場合、頭部１２３を除く全ての壁部は、互いに定位置に結合されており、頭部１２３は、ガラスロールを装填又は取り出すために取外し可能である。択一的に、壁部は、別の形に組み合わせて互いに定位置に結合可能又は取外し可能であり、この場合、壁部は、分離可能で、一部は梱包ユニットの取外し可能な部分とし、一部は定位置に結合された部分としてもよい。梱包ユニットを搬送又は格納するために、梱包ユニットは、底部１３を介して、固定して又は固定せずに搬送用パレット２８に結合されている。リフト工具を用いて搬送するために、蓋部１５に保持環部１６が設けられている。ガラスロールを保持するために、頭部側の壁部、つまり頭部１２１において、固定部１２２に保持要素が結合されている。この態様では、この保持要素は、連続的に延在してガラスロールを貫通する支持心棒１８１である。固定部は、ガラスロール３０を水平に装填した場合に支持心棒１８１が長さ全体にわたってガラスロール３０を保持し、片側支持で支持できるように、構成されている。固定部１２２は、力結合（力結合とは、部材相互に力、例えば摩擦力が伝達されるような結合を意味する）式に、例えばねじ結合部を介して、頭部１２１に、場合によっては蓋部１５、側部１４１，１４２及び底部１３にも結合されている、又、形状結合（形状結合とは、嵌め合い又は噛み合いなどの部材相互の形状的関係による結合を意味する）式に梱包ユニット内に組み込まれている。ガラスロール３０を支持心棒１８１上に位置固定するために、固定部１２２，１２４に隣接して位置固定リング１７１，１７２が設けられている。これらの位置固定リング１７１，１７２は、木材、プラスチック、金属のような頑丈で安定した材料から成っていて、場合によっては巻き上げられたガラスを有する巻芯に、搬送時の軸方向の滑動に対する確実な保持を提供する。位置固定リング１７１，１７２は、巻芯を両位置固定リングの間で緊締するのに適した圧縮性の材料から成っていてもよい。
【００５７】
梱包ユニットを閉じるために、取外し可能な１つ又は択一的には複数の壁部は、残りの壁部に結合されている。この結合は、ねじ固定、繋止、緊締、掛止又はロックのような公知のあらゆる手段により行うことができる。取外し可能な頭部側の壁部は、保持要素１８２用の固定部１２４を備えた頭部１２３から成っている。この態様では、保持要素１８２は、ピン（ピン状の突出部）である。ピンは、支持心棒１８１の端部に設けられた適切な凹所に係入し、凹所が設けられた側で支持心棒１８１を支持するので、支持心棒は、閉じられた梱包ユニットでは、両側で支持されている。固定部１２４には、更に、巻芯１９１を位置固定する位置固定リング１７２が取り付けられている。択一的に、位置固定リングは、ピンの周に被せてもよい。
【００５８】
装填するために、巻芯１９１を備えるガラスロール３０は、梱包ユニットに鉛直に挿入してもよい。この場合、梱包ユニットは、頭部１２１を下にして置かれ、ガラスロールが装填され、頭部１２３により閉じられるので、巻芯１９１は、保持要素の間に挟み込まれる。その後、梱包ユニットは、９０°回動させられ、底部１３を下にして貯蔵される。この場合、好適には、固定部１２２は、両側の支持部の一部としてガラスロールを保持及び支持する程度にだけ頑丈に設計すればよい。これにより、梱包ユニットは、より小さく、より軽く構成することができる。
【００５９】
図２及び図３は、択一的に２つの円筒形の梱包ユニットの横断面を示している。この態様では、側部１４３，１４４は円筒形に、頭部はそれぞれ円形に成形されている。梱包ユニットを支持するために、外側に支持要素２９３，２９４，２９５，２９６が設けられている。梱包ユニットは、支持要素により固定されて、底プレート２９１，２９２に載せられている。
【００６０】
図５は、底部の、外側を向いた下面に減衰要素２０を備える、図４に対応する梱包ユニットを示している。減衰要素２０は、全面的に下側に位置する振動減衰プレートである。択一的に、側部１４１，１４２の下側に２つのストリップを設けてもよい。振動減衰プレートは、落下防護用マットに相応して粒状ゴムから形成されている。これにより、下側から梱包ユニットに作用する衝撃又は振動が許容不能に梱包ユニットに伝達され、梱包ユニットを介して搬送すべきガラスロールに伝達されることを効果的に阻止することができる。
【００６１】
図６は、複数の減衰要素を備える、図４に対応する梱包ユニットを示している。減衰要素は、それぞれ頭部側の壁部に配置されていて、保持要素の固定部を取り囲んでいる。減衰要素は、固定部の内側空間の形状で矩形である。固定部１２５は、クロス補強材を有さずに構成されていて、支持心棒１８１の延長部を取り囲む減衰要素２０１，２０２を含んでいる。追加的に、固定部１２５と、１つ又は複数の壁部１３，１５，１２１，１４１，１４２の間に、振動減衰プレートを設けてもよい。
【００６２】
壁部の取外し可能な頭部側には、固定プレート１２５に、リング状の減衰要素が配置されており、リング状の減衰要素は、ここではピンの構成をした保持要素１８２を取り囲んでいる。減衰要素は、ここでも矩形であってよい。減衰要素は、ゴム金属複合体、又、択一的には純粋なゴム複合体から成っている。これにより、完全に又は少なくとも部分的に、保持要素とガラスロールとの振動分離を行うことができ、特に垂直又は斜めに、また保持要素の軸線に対して平行に梱包ユニットに作用する衝撃又は振動が保持要素を介して搬送すべきガラスロールに伝達されることを効果的に阻止することができる。
【００６３】
図７は、複数の減衰要素を備える、図４に対応する梱包ユニットを示している。減衰要素は、それぞれ１つ又は複数の保持要素を取り囲んでいる。保持要素は、図示の態様では、貫通する支持心棒１８３である。装填時には、支持心棒１８３は、片側で固定部１２２に支持されている。これに対して、閉じられた梱包ユニットでは、支持心棒１８３は、両側で支持され、追加的に、保持要素１８４、つまり支持心棒１８３の端部に係入するピンにより保持及び支持される。保持要素１８４は、頭部１２３と相俟って頭部側の壁要素の一部を成す固定部１２６に保持されている。特に巻芯の端部がそれぞれ支持される箇所で、支持心棒１８３は、減衰リング２０４，２０５のようなそれぞれ１つの減衰要素により取り囲まれ、この場合、減衰リングは、支持心棒と巻芯との間で衝撃及び／又は振動減衰器として作用する。支持心棒の別のセグメントを減衰要素により取り囲んだり、支持心棒全体を減衰材料により取り囲んだりしてもよい。減衰材料は、ゴム金属複合体、又、択一的には純粋なゴム複合体である。これにより、衝撃又は振動が保持要素を介して搬送すべきガラスロールに伝達されることを効果的に阻止することができる。
【００６４】
択一的に、梱包ユニットの各頭部側に、保持要素としてそれぞれ１つのピン状の支持心棒を配置してよく、この支持心棒は、巻芯の中空空間に進入して巻芯を支持する。この場合、支持心棒は、相応に減衰リングにより完全に又は部分的に取り囲まれている。
【００６５】
図８は、下側の領域で梱包されたガラスロール３０の周りにエアクッション２１を備える、図４に対応する梱包ユニットを示しており、そして図９は、梱包されたガラスロール３０の周囲全体にエアタイヤとしてのエアクッション２２を備える、図４に対応する梱包ユニットを示している。これらのエアクッションは、図示されていない弁を通じてそれぞれ個別に外部から膨張可能である。搬送のためにエアクッションに空気が満たされ、所定の圧力が調整される。この圧力は、場合によっては制御可能であり、監視される。エアクッション２１，２２の内側の圧力の調整及び選択、及びこれに起因するエアクッションの圧縮性により、調整可能な力がガラスロール及びガラスロールの位置に作用して、ガラスロールの位置が互いにずれることが阻止される。他方、エアクッションは減衰要素としても作用し、圧縮性は、ガラスロールに作用する衝撃及び振動がガラスロールを損傷する可能性を阻止する。梱包ユニットから取り外すために、空気は、弁を介して吐き出される又は吸い出される。
【００６６】
図１０は、梱包されたガラスロール用の清潔な空間としての、図５に対応する梱包ユニットを示している。この態様では、梱包ユニットは、気密に構成され、閉じられている。梱包ユニットの装填及び閉鎖後に、図示されていない弁を介して吸い出され、内側に負圧又は真空が形成され、続いて、その空間に窒素や二酸化炭素のような清潔な気体が充填されるので、清潔な空間２３が形成される。相対空気湿度は、５〜１５％の範囲に調整される。梱包ユニットの内側の圧力は、制御可能であり、周囲圧力より若干高いように調整される。これにより、特に汚染された又は高湿度の周囲空気の侵入が阻止される。このことは、特に問題の多い搬送又は貯蔵動作時に、もしくは相応の危険性がある場合には、又は大抵はコーティングされた敏感なガラスの場合に望まれている。補助的に、梱包ユニットに乾燥剤が設けられている。
【００６７】
図１１は、モジュール状に構成された２つの梱包ユニットから成る１つのユニットを示している。この場合、梱包ユニットの下側に底プレート２４が配置されており、底プレート２４の角隅にはそれぞれ角隅支持部２５が取り付けられており、角隅支持部２５は、梱包ユニットをスタックする際に、梱包ユニットの上面に設けられたセンタリング要素に係合することができる。このために好適には、角隅支持部は、それぞれ円錐状に内外に係合し合うように構成されている。たわみに基づく梱包ユニットの振動又は揺動を阻止するために、必要に応じて複数のセンタ支持部２６が底プレート２４に配置されている。センタ支持部２６は、梱包ユニットの底又は蓋に支持されている。又、滑動が阻止されたスタックのための専門家に知られたあらゆる別の可能性も考えられる。
【００６８】
梱包ユニットの側方に、複数の梱包ユニットを相並んで位置するように互いに結合することを可能にする、図示されていない装置を設けてもよい。この場合、ロック、差込結合、繋止等のための、専門家に知られたあらゆる可能性を用いることができる。総じて、複数の梱包ユニットをまとめて搬送する際に相互の衝突又は打撃を回避する、梱包ユニットの定位置の結合が提供されるべきである。特に、梱包ユニットの接触面もしくは設置面に、ゴム複合体又はコルクから成る減衰要素が配置される、又は、支持部自体がゴム金属複合体から成る減衰要素として構成されている。
【００６９】
図１２は、装着された巻芯を備える支持心棒１８５の横断面を示している。上側の範囲で、支持心棒は、凹所を有し、凹所には、巻芯用の２つの装着面３１１，３１２が続いていており、装着面の直径は、巻芯の最大限の支持が可能になるように、適合されている。
【００７０】
択一的に、図１３に示された支持心棒を用いてもよい。この支持心棒では、装着面３１３，３１４は、巻芯の曲率に適合されている。巻き上げられたガラスを備える巻芯を梱包ユニットに装填し、取り出すために、保持要素１８６、ここでは支持心棒の横断面は小さく維持されている。装着面３１３，３１４は、巻芯１９３用の支持心棒１８６の保持面３２１，３２２に沿って軸方向に延在する減衰要素２０６，２０７により形成される。この態様では、好適には、巻芯用のより大きな支持面を提供することができ、ガラスロールへの圧縮荷重もしくは曲げ荷重が低減される。減衰要素により、衝撃及び振動の伝達を低減する又は分離することができる。
【００７１】
択一的に、保持要素の横断面の考えられるあらゆる形状が実現可能である。
【００７２】
もちろん、本発明は、前述の特徴の１つの組み合わせに限定されるものではなく、専門家であれば、それが有意義である限り、本発明の全ての特徴を任意に組み合わせられる。
【符号の説明】
【００７３】
（１Ａ，１Ｂ）梱包ユニット、矩形
（２）支持部を備える梱包ユニット、円形
（３）保持枠を備える梱包ユニット、円形
（４）底部の下側に減衰要素を備える梱包ユニット
（５）保持要素固定部を取り囲む減衰要素を備える梱包ユニット
（６）支持心棒を取り囲む減衰要素を備える梱包ユニット
（７Ａ，７Ｂ）下側の領域にエアクッションを備える梱包ユニット
（８Ａ，８Ｂ）ガラスロールを取り囲むエアクッションを備える梱包ユニット
（９）清潔な空間としての梱包ユニット
（１０）複数の梱包ユニットから成るモジュール
（１２１，１２３）壁部、頭部
（１２２，１２４，１２５，１２６）壁部、頭部の保持要素固定部
（１３）壁部、底部
（１４１，１４２）壁部、側部、矩形
（１４３，１４４）壁部、側部、円筒形
（１５）壁部、蓋部
（１６）保持環部
（１７１，１７２）位置固定リング
（１８１，１８２，１８３，１８４，１８５，１８６）保持要素
（１９１，１９２，１９３）巻芯
（２０，２０１，２０２，２０３，２０４，２０５，２０６，２０７）減衰要素
（２１）エアクッション
（２２）エアタイヤ
（２３）清潔な空間
（２４）底プレート
（２５）角隅支持部
（２６）センタ支持部
（２７）センタリング要素
（２８）搬送用パレット
（２９１，２９２）底プレート
（２９３，２９４，２９５，２９６）支持要素
（３０）ガラスロール
（３１１，３１２，３１３，３１４）装着面
（３２１，３２２）保持面
【図１】
2014521572.tif 000003
【図２】
2014521572.tif 000004
【図３】
2014521572.tif 000005
【図４】
2014521572.tif 000006
【図５】
2014521572.tif 000007
【図６】
2014521572.tif 000008
【図７】
2014521572.tif 000009
【図８】
2014521572.tif 000010
【図９】
2014521572.tif 000011
【図１０】
2014521572.tif 000012
【図１１】
2014521572.tif 000013
【図１２】
2014521572.tif 000014
【図１３】
2014521572.tif 000015
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
互いに分離可能な少なくとも２つの壁部を備え、該壁部が相俟って閉じられた１つのユニットを形成する、巻芯に巻き上げられたガラスを収容する梱包ユニットであって、
１つの壁部に第１の保持要素が結合されており、該壁部とは反対側に配置された第２の壁部に第２の保持要素が結合されており、梱包ユニットの装填又は取出し時に、第１の保持要素は、巻き芯に巻き上げられたガラスを保持し、片側支持で支持されるようになっており、少なくとも１つの保持要素及び／又は少なくとも１つの壁部に減衰要素が結合されていることを特徴とする、ガラスを収納する梱包ユニット。
【請求項２】
第１及び／又は第２の保持要素は、巻芯内又は巻芯上に設けられた、少なくとも巻芯の端部に配置された結合装置に係合するのに適していることを特徴とする、請求項１記載の梱包ユニット。
【請求項３】
少なくとも１つの保持要素は支持心棒を備え、又は、支持心棒は保持要素に結合可能であり、前記支持心棒は、巻芯を、凹所に沿って又は巻芯の内側に延在している中空空間に沿って支持するのに適しており、前記支持心棒は、特に貫通する支持心棒であることを特徴とする、請求項１又は２記載の梱包ユニット。
【請求項４】
少なくとも１つの保持要素、特に保持要素の支持心棒は、巻芯に形状接続式に結合するのに適していて、特にアダプタ、緊締頭部又は緊締アダプタを備えることを特徴とする、請求項１から３までのいずれか１項記載の梱包ユニット。
【請求項５】
少なくとも１つの壁部に減衰要素が配置されており、該減衰要素は、保持要素を、該保持要素の固定部の領域で取り囲んでいることを特徴とする、請求項１から４までのいずれか１項記載の梱包ユニット。
【請求項６】
支持心棒の外面に、少なくとも部分的に、かつ少なくとも一部を取り囲むように、１つ又は複数の減衰要素が配置されていることを特徴とする、請求項３記載の梱包ユニット。
【請求項７】
支持心棒は、ばね弾性的に又は振動減衰式に保持要素に支持されていることを特徴とする、請求項３又は６記載の梱包ユニット。
【請求項８】
梱包ユニットの外側に、好適には下側に、１つ又は複数の減衰要素が配置されていることを特徴とする、請求項１から７までのいずれか１項記載の梱包ユニット。
【請求項９】
梱包ユニットの外側に、好適には下側又は上側で１つ又は複数の設置面に、又は側方の接触面に、１つ又は複数の減衰要素が配置されていることを特徴とする、請求項１から８までのいずれか１項記載の梱包ユニット。
【請求項１０】
梱包ユニットの下側及び上側及び／又は側方で協働する、別の梱包ユニット用の保持装置は、上下に及び／又は相並んで配置された少なくとも２つの梱包ユニットがモジュール状に互いに内外に係合して組み合わされるように、配置されていることを特徴とする、請求項１から９までのいずれか１項記載の梱包ユニット。
【請求項１１】
梱包ユニットは、気密に閉じられており、内側に清潔な気体が充填されていることを特徴とする、請求項１から１０までのいずれか１項記載の梱包ユニット。
【請求項１２】
巻芯に巻き上げられたガラス、特に薄板ガラスの振動低減式の貯蔵及び搬送用の、請求項１から１１までのいずれか１項記載の梱包ユニットの使用。
【請求項１３】
巻芯に巻き上げられたガラス、特に薄板ガラスの貯蔵及び搬送のための清潔な空間としての、請求項１から１１までのいずれか１項記載の梱包ユニットの使用。
【国際調査報告】
2014521572.tif 000016
2014521572.tif 000017
2014521572.tif 000018
2014521572.tif 000019
2014521572.tif 000020
2014521572.tif 000021